(57)【要約】【課題】貼付対象物を保護する強度を有し、かつ、印刷文字を保護できるラベル、及び、貼付対象物及び印刷文字が保護される物品を提供する。【解決手段】ラベル３は、基材４と保護層５とを備え、貼付対象物２に貼付される。保護層５は、接着層が形成された裏面５ａを有し、一端５Ａが基材４の一端４Ａと重なり、他端５Ｂが基材４の他端４Ｂよりも突出するように、裏面５ａが基材４の表面４ｂに貼付される。保護層５は、透明な層であり、表面５ｂの一端５Ａの近傍に印字７を有する。【選択図】図１
2010085613.tif 000002
【特許請求の範囲】
【請求項１】
貼付対象物に貼付されるラベルであって、
基材と、
接着層が形成された裏面を有し、一端が前記基材の一端と重なり、他端が前記基材の他端よりも突出するように、前記裏面が前記基材の表面に貼付された透明な保護層とを備え、
前記保護層の表面の前記一端の近傍に印字を有することを特徴とするラベル。
【請求項２】
前記印字は、前記貼付対象物に関連付けられた情報を含む、請求項１に記載のラベル。
【請求項３】
前記保護層の他端が、三角形状又は半円状に形成される、請求項１又は２に記載のラベル。
【請求項４】
前記保護層が、前記一端と前記他端との間の側縁の一部に突出部を有する、請求項１〜３の何れか一に記載のラベル。
【請求項５】
貼付対象物と、
前記貼付対象物に接触する裏面を有する基材、及び、接着層が形成された裏面を有し、一端が前記基材の一端と重なり、他端が前記基材の他端よりも突出するように、前記裏面が前記基材の表面に貼付された透明な保護層を有するラベルと、を備え、
前記ラベルが前記貼付対象物を巻回しており、
前記保護層の表面の前記一端の近傍に印字を有することを特徴とする物品。
【発明の詳細な説明】
【技術分野】
【０００１】
本発明は、ラベル及び物品に関し、更に詳しくは、電池パック等の貼付対象物に貼付されるラベル、及び、貼付対象物と貼付対象物に巻回されたラベルとからなる物品に関する。
【背景技術】
【０００２】
ラベルは、貼付対象物に貼付されるものであり、例えば、貼付対象物に関連する所定の情報が印字される印字面を有する。一例として、携帯電話機等に使用される電池パックが貼付対象物である場合には、ラベルの印字面には、電池パックの製造履歴（製造番号）や仕様等が印字される。
【０００３】
特許文献１には、棒状物への巻付け用粘着ラベルが記載されている。このラベルは、台紙に剥離可能に貼り合わされた透明なフィルムからなる。ラベルは、表面の一部に形成された印字面と、この印字面に連続して形成された透明なフィルム部分とを有する。透明なフィルム部分は、ラベルを棒状物へ巻き付けた際に、印字面を被覆できる程度の長さに延長して形成されている。
【０００４】
【特許文献１】実開昭５６−１７５８６４号公報
【発明の開示】
【発明が解決しようとする課題】
【０００５】
ラベルの印字面に印字された製造番号は、貼付対象物である電池パックの品質を管理するために用いられるので、印刷文字が簡単に消えてしまうと不都合である。しかし、通常のラベル用プリンタを用いてラベルの表面に製造番号を印刷しただけでは、フィルムやインクの材質に依存するものの、インクが擦れる、又は、溶ける等により、印刷文字が消えてしまうという問題があった。
【０００６】
上記問題を避けるために、レーザを使用して焼付け文字を印字し、印刷文字を消え難くする方法が知られている。しかし、この方法では、レーザを使用することで設備コストが高くなるという問題がある。
【０００７】
本発明は、貼付対象物を保護する強度を有し、かつ、印刷文字を保護できるラベル、及び、貼付対象物及び印刷文字が保護される物品を提供することを目的とする。
【課題を解決するための手段】
【０００８】
上記目的を達成するために、本発明は、貼付対象物に貼付されるラベルであって、
基材と、
接着層が形成された裏面を有し、一端が前記基材の一端と重なり、他端が前記基材の他端よりも突出するように、前記裏面が前記基材の表面に貼付された透明な保護層とを備え、
前記保護層の表面の前記一端の近傍に印字を有することを特徴とするラベルを提供する。
【０００９】
また、本発明は、貼付対象物と、
前記貼付対象物に接触する裏面を有する基材、及び、接着層が形成された裏面を有し、一端が前記基材の一端と重なり、他端が前記基材の他端よりも突出するように、前記裏面が前記基材の表面に貼付された透明な保護層を有するラベルと、を備え、
前記ラベルが前記貼付対象物を巻回しており、
前記保護層の表面の前記一端の近傍に印字を有することを特徴とする物品を提供する。
【発明の効果】
【００１０】
本発明のラベルは、貼付対象物を保護する強度を有し、かつ、印刷文字を保護できる。また、本発明の物品では、貼付対象物及び印刷文字が保護されている。
【発明を実施するための最良の形態】
【００１１】
以下、図面を参照し、本発明の例示的な実施の形態について詳細に説明する。図1は、本発明の一実施形態に係るラベル及び物品の構成を示す展開斜視図である。図２（ａ）及び（ｂ）はそれぞれ、ラベルを貼付対象物に巻回する際の状態を示す断面図及びその一部詳細図である。物品１は、貼付対象物２と、貼付対象物２を巻回するラベル３とを含む。貼付対象物２としては、例えば、携帯電話機等に使用される電池パックが挙げられる。
【００１２】
ラベル３は、図２に示すように、ラベル素地（基材）４と、ラミネート層（保護層）５とからなる積層構造を有する。ラベル３は、図１に示すように異形ラベルであって、長手方向の一端と他端との間の側縁の一部に突出部６を有する。ラベル３は、長手方向に沿って貼付対象物（電池パック）２の外周を巻回し、また、電池パック２の側面の一部を突出部６で保護する。
【００１３】
基材４は、ポリエチレンテレフタラート(ＰＥＴ，Polyethylene terephthalate)で形成された不透明な層であり、図２（ａ）に示すように、電池パック２に接触する裏面４ａを有する。基材４の裏面４ａは、接着剤が塗布されて形成された接着層を有する。基材４は、電池パック２の外周を巻回できる程度の長さを有する。
【００１４】
保護層５は、ＰＥＴで形成された透明な層であり、裏面５ａに接着層を有する。また、保護層５は、図２（ｂ）に示すように、一端５Ａが基材４の一端４Ａと重なり、また、他端５Ｂが基材４の他端４Ｂよりも突出するように、接着層を介して基材４の表面４ｂに貼付される。さらに、保護層５は、表面５ｂの一端５Ａの近傍に印字面７を有する。印字面７には、電池パック２の所定の情報が、ラベル用プリンタを用いた熱転写による印刷で印字されている。この情報としては、電池パック２の品質管理に用いられる製造番号が挙げられる。なお、保護層５の表面５ｂの中央部５ｃ付近には、製造番号以外の情報、例えば製品名等が印字されている。
【００１５】
次に、ラベル３の製造工程について説明する。まず、帯状の剥離シート（台紙）に基材４を接着し、この基材４の表面４ｂに、長手方向の長さが基材４よりも長い保護層５を、一端５Ａが基材４の一端４Ａと重なるように積層する。このとき、保護層５の他端５Ｂは、基材４の他端４Ｂよりも突出している。続いて、ラベル３の外形形状を有する金型を用いて、外形に沿って保護層５及び基材４をハーフカットし、保護層５及び基材４の使用されない外枠部分を除去する。次に、台紙上に接着しているラベル３の保護層５の表面５ｂに、ラベル用プリンタを用いて熱転写による印刷を行い、電池パック２の所定の情報を印字する。その後に、台紙をラベル３毎にカットする。このようにして、図１に示すラベル３が製造される。
【００１６】
以下、ラベル３が電池パック２を巻回する際の動作について説明する。まず、ラベル３を台紙から剥離し、図１に示すように、ラベル３の基材４の裏面４ａに形成された接着層を、電池パック２の表面２ａに対して位置合わせを行う。次に、ラベル３の一端側を電池パック２の側面２ｂ及び裏面２ｃに巻き付ける。その後に、ラベル３の他端側を電池パック２の側面２ｄ及び裏面２ｃに巻き付ける。このとき、電池パック２の製造番号が印字された保護層５の印字面７が、図２に示すように、保護層５の他端５Ｂの裏面５ａに重なった状態となる。
【００１７】
従って、ラベル３では、印字面７が保護層５により被覆されて保護される。また、ラベル３は、基材４及び保護層５からなる積層構造により十分な強度を有する。さらに、ラベル３が電池パック２を巻回することで、電池パック２及び印字面７が保護された物品１が得られる。
【００１８】
次に、図３を参照して比較例について説明する。比較例であるラベル８は、例えば、長手方向の長さが同一の基材と保護層とからなる。つまり、ラベル８では、電池パック等の貼付対象物を巻回した際に、印字面が保護層で被覆されない。そのため、ラベル８では、保護層の表面にレーザ９を使用して焼付け文字を印字し、印刷文字を消え難くしている。従って、ラベル８では、安価なラベル用プリンタを使用することができず、印刷文字を印字するための設備コストが高くなってしまう。
【００１９】
これに対して、本実施形態のラベルは、貼付対象物に貼付されるラベルであって、基材と、接着層が形成された裏面を有し、一端が基材の一端と重なり、他端が基材の他端よりも突出するように、裏面が基材の表面に貼付された透明な保護層とを備え、保護層の表面の一端の近傍に印字を有する。この構成を採用することによって、基材及び保護層からなるラベルが貼付対象物を巻回すると、保護層の表面の一端の近傍に形成された印字が、保護層の他端で被覆されるので、印刷文字を保護できる。
【００２０】
また、本実施形態の物品は、貼付対象物と、貼付対象物に接触する裏面を有する基材、及び、接着層が形成された裏面を有し、一端が基材の一端と重なり、他端が基材の他端よりも突出するように、裏面が基材の表面に貼付された透明な保護層を有するラベルと、を備え、ラベルが貼付対象物を巻回しており、保護層の表面の一端の近傍に印字を有する。この構成を採用することによって、基材及び保護層からなる積層構造を有するラベルが貼付対象物を巻回するので、貼付対象物がラベルによって十分に保護される。
【００２１】
また、本実施形態のラベル３は、ラベル３の表面を透明な保護層５とし、保護層５の印字面７が保護層５の他端５Ｂにより保護される。そのため、印刷文字を目視でき、また、安価で耐久性の低い適宜の印刷方法で印刷しても、製造番号等の印刷文字が擦れ等により消えてしまうことがない。つまり、ラベル３では、製造番号等を印刷する際に、レーザを用いる必要がなく、種々の安価なプリンタを用いることができる。
【００２２】
さらに、ラベル３は、基材４と保護層５とからなる積層構造を有し、保護層５の裏面５ａに接着層を有する。このため、ラベル３が電池パック２を１度だけ巻回することで保護層５を貼付できるので、作業効率を高めることができる。
【００２３】
上記実施形態では、保護層５の他端５Ｂの形状を矩形状としたが、これに限定されず、図４（ａ）及び（ｂ）にそれぞれ示すラベル３Ａ，３Ｂのように、三角形状や半円形状等に形成してもよい。このようにすれば、保護層５の印字面７が大きい場合であっても、或いは、矩形状以外の形状であっても、印字面７を確実に被覆できる。
【００２４】
また、ラベル３は、突出部６を有する異形ラベルとしたが、これに限定されず、突出部６を有さない矩形状のラベルであってもよい。この場合には、例えば、基材４の裏面４ａに接着層を形成しなくても、保護層５の裏面５ａの接着層による接着力だけで、電池パック２を巻回することも可能となる。このようにすれば、接着層のない基材４を使用できるので、製造コストを低減できる。
【００２５】
以上、本発明をその好適な実施形態に基づいて説明したが、本発明のラベル及び物品は、上記実施形態の構成にのみ限定されるものではなく、上記実施形態の構成から種々の修正及び変更を施したものも、本発明の範囲に含まれる。
【図面の簡単な説明】
【００２６】
【図１】本発明の一実施形態に係るラベル及び物品の構成を示す展開斜視図。
【図２】（ａ）及び（ｂ）は、ラベルを貼付対象物に巻回する際の状態を示す断面図及びその一部詳細図。
【図３】比較例のラベルに印字を行う際の状態を示す図。
【図４】（ａ）及び（ｂ）は、保護層の他端の形状が異なるラベルを示す図。
【符号の説明】
【００２７】
１：物品
２：電池パック（貼付対象物）
３，３Ａ，３Ｂ：ラベル
４：ラベル素地（基材）
４Ａ：基材の一端
４Ｂ：基材の他端
４ａ：基材の裏面
４ｂ：基材の表面
５：ラミネート層（保護層）
５Ａ：保護層の一端
５Ｂ：保護層の他端
５ａ：保護層の裏面
５ｂ：保護層の表面
６：突出部
７：印字面
【図１】
2010085613.tif 000003
【図２】
2010085613.tif 000004
【図３】
2010085613.tif 000005
【図４】
2010085613.tif 000006